(57)【要約】【課題】ドラムカートリッジが装着されているかと、トナーカートリッジが装着されているかを表す情報を報知する。【解決手段】画像形成装置は、ドラムカートリッジ、トナーカートリッジ、印加回路、制御部を備える。ドラムカートリッジは、本体筐体に対して着脱可能である。トナーカートリッジは、ドラムカートリッジに着脱可能であり、メモリ（ＩＣチップ）を有する。制御部は、メモリから情報を取得する通信処理と、メモリと電気的接続を行ったかを判定する接続判定処理（Ｓ２）と、帯電器に印加させる指示を印加回路に送る送信処理（Ｓ３）と、印加回路が帯電器と通電したかを判定する通電判定処理（Ｓ６）と、接続判定処理および通電判定処理の結果に応じて、ドラムカートリッジが本体筐体に装着されているかを表す情報およびトナーカートリッジが本体筐体に装着されているかを表す情報を報知する報知処理（Ｓ２３，Ｓ３３，Ｓ４３）と、を実行する。【選択図】図７
2020052278.tif 000002
【特許請求の範囲】
【請求項１】
本体筐体と、
前記本体筐体に対して着脱可能なドラムカートリッジであって、感光体ドラムと、前記感光体ドラムの表面を帯電する帯電器と、を有するドラムカートリッジと、
前記ドラムカートリッジに着脱可能なトナーカートリッジであって、電気的接触面を有するメモリを有するトナーカートリッジと、
前記帯電器に電圧を印加する印加回路と、
前記電気的接触面と接触するコネクタと、
前記印加回路および前記コネクタと電気的に接続された制御部と、を備え、
前記制御部は、
前記コネクタを介して前記メモリと通信して前記メモリから情報を取得する通信処理と、
前記通信処理を実行した場合に、前記メモリと電気的接続を行ったかを判定する接続判定処理と、
前記帯電器に第１電圧を印加させる指示を前記印加回路に送る送信処理と、
前記送信処理を実行した場合に、前記印加回路が前記帯電器と通電したかを判定する通電判定処理と、
前記接続判定処理および前記通電判定処理の結果に応じて、ドラムカートリッジが前記本体筐体に装着されているかを表す情報および前記トナーカートリッジが前記本体筐体に装着されているかを表す情報を報知する報知処理と、を実行することを特徴とする画像形成装置。
【請求項２】
前記制御部は、
前記接続判定処理により、前記メモリと電気的接続を行ったと判定し、かつ、前記通電判定処理により、前記帯電器と通電したと判定した場合、前記トナーカートリッジが装着され、前記ドラムカートリッジが装着されていると判定することを特徴とする請求項１に記載の画像形成装置。
【請求項３】
前記制御部は、
前記接続判定処理により、前記メモリと電気的接続を行ったと判定し、かつ、前記通電判定処理により、前記帯電器と通電しなかったと判定した場合、前記トナーカートリッジが装着され、前記ドラムカートリッジが装着されていないと判定することを特徴とする請求項１または請求項２に記載の画像形成装置。
【請求項４】
前記制御部は、
前記接続判定処理により、前記メモリと電気接続を行わなかったと判定し、かつ、前記通電判定処理により、前記帯電器と通電したと判定した場合、前記トナーカートリッジが装着されておらず、前記ドラムカートリッジが装着されていると判定することを特徴とする請求項１から請求項３のいずれか１項に記載の画像形成装置。
【請求項５】
前記制御部は、
前記接続判定処理により、前記メモリと電気的接続を行わなかったと判定し、かつ、前記通電判定処理により、前記帯電器と通電しなかったと判定した場合、前記トナーカートリッジが装着されておらず、前記ドラムカートリッジが装着されていないと判定することを特徴とする請求項１から請求項４のいずれか１項に記載の画像形成装置。
【請求項６】
前記接続判定処理は、前記電気的接続として、前記メモリと通信したかを判定することを特徴とする請求項１から請求項５のいずれか１項に記載の画像形成装置。
【請求項７】
本体筐体と、
前記本体筐体に対して着脱可能な複数のドラムカートリッジであって、それぞれ、感光体ドラムと、前記感光体ドラムの表面を帯電する帯電器と、を有する複数のドラムカートリッジと、
互いに異なる色のトナーが収容された複数のトナーカートリッジであって、それぞれが前記複数のドラムカートリッジの１つに着脱可能であり、電気的接触面を有するメモリを有する複数のトナーカートリッジと、
各前記帯電器に電圧を印加する印加回路と、
各前記電気的接触面と接触するコネクタと、
前記印加回路および前記コネクタと電気的に接続された制御部と、を備え、
前記制御部は、
前記コネクタを介して、各前記メモリと通信して各前記メモリからトナーの色情報を取得する通信処理と、
前記通信処理を実行した場合に、各前記メモリと電気的接続を行ったかを判定する接続判定処理と、
前記通信処理を実行した場合に、各前記トナーカートリッジの装着位置に対応する色が、前記色情報と合っているか判定する位置判定処理と、
前記印加回路に各前記帯電器に第１電圧を印加させる指示を送る送信処理と、
前記送信処理を実行した場合に、前記印加回路が各前記帯電器と通電したかを判定する通電判定処理と、
前記接続判定処理と前記位置判定処理と前記通電判定処理の結果に応じて、ドラムカートリッジが前記本体筐体に装着されているかを表す情報と、前記トナーカートリッジが前記本体筐体に装着されているかを表す情報と、各トナーカートリッジの装着位置が合っていない色違いであることを示す情報と、を報知する報知処理と、を実行することを特徴とする画像形成装置。
【請求項８】
前記制御部は、
前記接続判定処理により、全ての前記メモリと電気的接続を行ったと判定し、かつ、前記位置判定処理により、全ての前記トナーカートリッジの装着位置に対応する色が前記色情報と合っていると判定し、かつ、前記通電判定処理により、前記印加回路が全ての前記帯電器と通電したと判定した場合、
全ての前記複数のトナーカートリッジが装着され、全ての前記複数のトナーカートリッジが色違い無し、全ての前記複数のドラムカートリッジが装着されていると判定することを特徴とする請求項７に記載の画像形成装置。
【請求項９】
前記制御部は、
前記接続判定処理により、全ての前記メモリと電気的接続を行ったと判定し、かつ、前記位置判定処理により、全ての前記トナーカートリッジの装着位置に対応する色が前記色情報と合っていると判定し、かつ、前記通電判定処理により、前記印加回路が少なくとも１つの前記帯電器と通電しなかったと判定した場合、
全ての前記複数のトナーカートリッジが装着され、全ての前記複数のトナーカートリッジが色違い無し、前記複数のドラムカートリッジのうち少なくとも１つが装着されていないと判定することを特徴とする請求項７または請求項８に記載の画像形成装置。
【請求項１０】
前記制御部は、
前記接続判定処理により、全ての前記メモリと電気的接続を行ったと判定し、かつ、前記位置判定処理により、少なくとも１つの前記トナーカートリッジの装着位置に対応する色が前記色情報と合っていないと判定し、かつ、前記通電判定処理により、前記印加回路が全ての前記帯電器と通電したと判定した場合、
全ての前記複数のトナーカートリッジが装着され、少なくとも１つの前記複数のトナーカートリッジが色違いであり、全ての前記複数のドラムカートリッジが装着されていると判定することを特徴とする請求項７から請求項９のいずれか１項に記載の画像形成装置。
【請求項１１】
前記制御部は、
前記接続判定処理により、全ての前記メモリと電気的接続を行ったと判定し、かつ、前記位置判定処理により、少なくとも１つの前記トナーカートリッジの装着位置に対応する色が前記色情報と合っていないと判定し、かつ、前記通電判定処理により、前記印加回路が少なくとも１つの前記帯電器と通電しなかったと判定した場合、
全ての前記複数のトナーカートリッジが装着され、少なくとも１つの前記複数のトナーカートリッジが色違いであり、前記複数のドラムカートリッジのうち少なくとも１つが装着されていないと判定することを特徴とする請求項７ら請求項１０のいずれか１項に記載の画像形成装置。
【請求項１２】
前記制御部は、
前記接続判定処理により、少なくとも１つの前記メモリと電気的接続を行わなかったと判定し、かつ、前記位置判定処理により、通信できた前記トナーカートリッジの装着位置に対応する色が前記色情報と合っていると判定し、かつ、前記通電判定処理により、前記印加回路が全ての前記帯電器と通電したと判定した場合、
前記複数のトナーカートリッジのうち少なくとも１つが装着されておらず、通信できた前記複数のトナーカートリッジが色違い無し、全ての前記複数のドラムカートリッジが装着されていると判定することを特徴とする請求項７から請求項１１のいずれか１項に記載の画像形成装置。
【請求項１３】
前記制御部は、
前記接続判定処理により、少なくとも１つの前記メモリと電気的接続を行わなかったと判定し、かつ、前記位置判定処理により、通信できた前記トナーカートリッジの装着位置に対応する色が前記色情報と合っていると判定し、かつ、前記通電判定処理により、前記印加回路が少なくとも１つの前記帯電器と通電しなかったと判定した場合、
前記複数のトナーカートリッジのうち少なくとも１つが装着されておらず、通信できた前記複数のトナーカートリッジが色違い無し、前記複数のドラムカートリッジのうち少なくとも１つが装着されていないと判定することを特徴とする請求項７から請求項１２のいずれか１項に記載の画像形成装置。
【請求項１４】
前記制御部は、
前記接続判定処理により、少なくとも１つの前記メモリと電気的接続を行わなかったと判定し、かつ、前記位置判定処理により、少なくとも１つの前記トナーカートリッジの装着位置に対応する色が前記色情報と合っていないと判定し、かつ、前記通電判定処理により、前記印加回路が全ての前記帯電器と通電したと判定した場合、
前記複数のトナーカートリッジのうち少なくとも１つが装着されておらず、少なくとも１つの前記複数のトナーカートリッジが色違いであり、全ての前記複数のドラムカートリッジが装着されていると判定することを特徴とする請求項７から請求項１３のいずれか１項に記載の画像形成装置。
【請求項１５】
前記制御部は、
前記接続判定処理により、少なくとも１つの前記メモリと電気的接続を行わなかったと判定し、かつ、前記位置判定処理により、少なくとも１つの前記トナーカートリッジの装着位置に対応する色が前記色情報と合っていないと判定し、かつ、前記通電判定処理により、前記印加回路が少なくとも１つの前記帯電器と通電しなかったと判定した場合、
前記複数のトナーカートリッジのうち少なくとも１つが装着されておらず、少なくとも１つの前記複数のトナーカートリッジが色違いであり、前記複数のドラムカートリッジのうち少なくとも１つが装着されていないと判定することを特徴とする請求項７から請求項１４のいずれか１項に記載の画像形成装置。
【請求項１６】
前記接続判定処理は、前記電気的接続として、前記メモリと通信したかを判定することを特徴とする請求項７から請求項１５のいずれか１項に記載の画像形成装置。
【請求項１７】
前記制御部は、前記トナーカートリッジが装着され、前記ドラムカートリッジが装着されていないと判定した場合、または、前記トナーカートリッジが装着されておらず、前記ドラムカートリッジが装着されていると判定した場合、トナーカートリッジをドラムカートリッジに組み付けてから本体筐体に装着するよう報知することを特徴とする請求項３，４，９，１１，１２，１４のいずれか１項に記載の画像形成装置。
【請求項１８】
前記制御部は、画像形成指令を受けた場合に、前記帯電器に第２電圧を印加する指示を前記印加回路に送り、
前記第１電圧は、前記第２電圧より低い電圧であることを特徴とする請求項１から請求項１７のいずれか１項に記載の画像形成装置。
【発明の詳細な説明】
【技術分野】
【０００１】
本開示は、トナーカートリッジとドラムカートリッジとを備える画像形成装置に関する。
【背景技術】
【０００２】
トナーカートリッジとドラムカートリッジとを備える画像形成装置が知られている（特許文献１参照）。これらのドラムカートリッジとトナーカートリッジは、それぞれ独立して交換可能である。トナーカートリッジを交換した場合には、トナーカートリッジをドラムカートリッジに組み付けて、画像形成装置に装着する。
【先行技術文献】
【特許文献】
【０００３】
【特許文献１】特開２００９−２６５４０１号公報
【発明の概要】
【発明が解決しようとする課題】
【０００４】
ところで、ドラムカートリッジとトナーカートリッジとをそれぞれ独立して交換可能な画像形成装置では、トナーカートリッジのみを装着してしまったり、トナーカートリッジをドラムカートリッジに組み付けないで装着してしまうことがある。この場合、装着されていないカートリッジを装着する旨をユーザに報知することが望まれている。
また、カラーの画像形成装置の場合には、トナーカートリッジがその色に対応した正しい位置に装着されていない場合には、ユーザに色違いである旨を報知することが望まれている。
【０００５】
そこで、本発明は、ドラムカートリッジが装着されているかを表す情報と、トナーカートリッジが装着されているかを表す情報とを報知する画像形成装置を提供することを目的とする。
また、本発明は、ドラムカートリッジが装着されているかを表す情報と、トナーカートリッジが装着されているかを表す情報と、トナーカートリッジの色違いの情報とを報知する画像形成装置を提供することを目的とする。
【課題を解決するための手段】
【０００６】
前記した目的を達成するため、本開示の画像形成装置は、本体筐体と、ドラムカートリッジと、トナーカートリッジと、印加回路と、コネクタと、制御部とを備えている。ドラムカートリッジは、本体筐体に対して着脱可能なドラムカートリッジであって、感光体ドラムと、感光体ドラムの表面を帯電する帯電器と、を有する。トナーカートリッジは、ドラムカートリッジに着脱可能なトナーカートリッジであって、電気的接触面を有するメモリを有する。印加回路は、帯電器に電圧を印加する。コネクタは、電気的接触面と接触する。制御部は、印加回路およびコネクタと電気的に接続されている。
制御部は、コネクタを介してメモリと通信してメモリから情報を取得する通信処理と、通信処理を実行した場合に、メモリと電気的接続を行ったかを判定する接続判定処理と、帯電器に第１電圧を印加させる指示を印加回路に送る送信処理と、送信処理を実行した場合に、印加回路が帯電器と通電したかを判定する通電判定処理と、接続判定処理および通電判定処理の結果に応じて、ドラムカートリッジが本体筐体に装着されているかを表す情報およびトナーカートリッジが本体筐体に装着されているかを表す情報を報知する報知処理と、を実行する。
【０００７】
このような構成によれば、画像形成装置は、ドラムカートリッジが装着されているかを表す情報と、トナーカートリッジが装着されているかを表す情報とを報知することができる。
【０００８】
前記した画像形成装置において、制御部は、接続判定処理により、メモリと電気的接続を行ったと判定し、かつ、通電判定処理により、帯電器と通電したと判定した場合、トナーカートリッジが装着され、ドラムカートリッジが装着されていると判定する構成としてもよい。
【０００９】
前記した画像形成装置において、制御部は、接続判定処理により、メモリと電気的接続を行ったと判定し、かつ、通電判定処理により、帯電器と通電しなかったと判定した場合、トナーカートリッジが装着され、ドラムカートリッジが装着されていないと判定する構成としてもよい。
【００１０】
前記した画像形成装置において、制御部は、接続判定処理により、メモリと電気接続を行わなかったと判定し、かつ、通電判定処理により、帯電器と通電したと判定した場合、トナーカートリッジが装着されておらず、ドラムカートリッジが装着されていると判定する構成としてもよい。
【００１１】
前記した画像形成装置において、制御部は、接続判定処理により、メモリと電気接続を行わなかったと判定し、かつ、通電判定処理により、帯電器と通電しなかったと判定した場合、トナーカートリッジが装着されておらず、ドラムカートリッジが装着されていないと判定する構成としてもよい。
【００１２】
前記した画像形成装置において、接続判定処理は、電気的接続として、メモリと通信したかを判定する構成としてもよい。
【００１３】
前記した目的を達成するため、本開示の画像形成装置は、本体筐体と、複数のドラムカートリッジと、複数のトナーカートリッジと、印加回路と、コネクタと、制御部とを備えている。ドラムカートリッジは、本体筐体に対して着脱可能な複数のドラムカートリッジであって、それぞれ、感光体ドラムと、感光体ドラムの表面を帯電する帯電器と、を有する。トナーカートリッジは、互いに異なる色のトナーが収容された複数のトナーカートリッジであって、それぞれが複数のドラムカートリッジの１つに着脱可能であり、電気的接触面を有するメモリを有する。印加回路は、各帯電器に電圧を印加する。コネクタは、各電気的接触面と接触する。制御部は、印加回路およびコネクタと電気的に接続されている。制御部は、コネクタを介して、各メモリと通信して各メモリからトナーの色情報を取得する通信処理と、通信処理を実行した場合に、各メモリと電気的接続を行ったかを判定する接続判定処理と、通信処理を実行した場合に、各トナーカートリッジの装着位置に対応する色が、色情報と合っているか判定する位置判定処理と、印加回路に各帯電器に第１電圧を印加させる指示を送る送信処理と、送信処理を実行した場合に、印加回路が各帯電器と通電したかを判定する通電判定処理と、接続判定処理と位置判定処理と通電判定処理の結果に応じて、ドラムカートリッジが本体筐体に装着されているかを表す情報と、トナーカートリッジが本体筐体に装着されているかを表す情報と、各トナーカートリッジの装着位置が合っていない色違いであることを示す情報と、を報知する報知処理と、を実行する。
【００１４】
これによれば、画像形成装置は、ドラムカートリッジが装着されているかを表す情報と、トナーカートリッジが装着されているかを表す情報と、トナーカートリッジが色違いであることを示す情報とを報知することができる。
【００１５】
前記した画像形成装置において、制御部は、接続判定処理により、全てのメモリと電気的接続を行ったと判定し、かつ、位置判定処理により、全てのトナーカートリッジの装着位置に対応する色が色情報と合っていると判定し、かつ、通電判定処理により、印加回路が全ての帯電器と通電したと判定した場合、全ての複数のトナーカートリッジが装着され、全ての複数のトナーカートリッジが色違い無し、全ての複数のドラムカートリッジが装着されていると判定すると判定する構成としてもよい。
【００１６】
前記した画像形成装置において、制御部は、接続判定処理により、全てのメモリと電気的接続を行ったと判定し、かつ、位置判定処理により、全てのトナーカートリッジの装着位置に対応する色が色情報と合っていると判定し、かつ、通電判定処理により、印加回路が少なくとも１つの帯電器と通電しなかったと判定した場合、全ての複数のトナーカートリッジが装着され、全ての複数のトナーカートリッジが色違い無し、複数のドラムカートリッジのうち少なくとも１つが装着されていないと判定する構成としてもよい。
【００１７】
前記した画像形成装置において、制御部は、接続判定処理により、全てのメモリと電気的接続を行ったと判定し、かつ、位置判定処理により、少なくとも１つのトナーカートリッジの装着位置に対応する色が色情報と合っていないと判定し、かつ、通電判定処理により、印加回路が全ての帯電器と通電したと判定した場合、全ての複数のトナーカートリッジが装着され、少なくとも１つの複数のトナーカートリッジが色違いであり、全ての複数のドラムカートリッジが装着されていると判定する構成としてもよい。
【００１８】
前記した画像形成装置において、制御部は、接続判定処理により、全てのメモリと電気的接続を行ったと判定し、かつ、位置判定処理により、少なくとも１つのトナーカートリッジの装着位置に対応する色が色情報と合っていないと判定し、かつ、通電判定処理により、印加回路が少なくとも１つの帯電器と通電しなかったと判定した場合、全ての複数のトナーカートリッジが装着され、少なくとも１つの複数のトナーカートリッジが色違いであり、複数のドラムカートリッジのうち少なくとも１つが装着されていないと判定すると判定する構成としてもよい。
【００１９】
前記した画像形成装置において、制御部は、接続判定処理により、少なくとも１つのメモリと電気的接続を行わなかったと判定し、かつ、位置判定処理により、通信できたトナーカートリッジの装着位置に対応する色が色情報と合っていると判定し、かつ、通電判定処理により、印加回路が全ての帯電器と通電したと判定した場合、複数のトナーカートリッジのうち少なくとも１つが装着されておらず、通信できた複数のトナーカートリッジが色違い無し、全ての複数のドラムカートリッジが装着されていると判定する構成としてもよい。
【００２０】
前記した画像形成装置において、制御部は、接続判定処理により、少なくとも１つのメモリと電気的接続を行わなかったと判定し、かつ、位置判定処理により、通信できたトナーカートリッジの装着位置に対応する色が色情報と合っていると判定し、かつ、通電判定処理により、印加回路が少なくとも１つの帯電器と通電しなかったと判定した場合、複数のトナーカートリッジのうち少なくとも１つが装着されておらず、通信できた複数のトナーカートリッジが色違い無し、複数のドラムカートリッジのうち少なくとも１つが装着されていないと判定する構成としてもよい。
【００２１】
前記した画像形成装置において、制御部は、接続判定処理により、少なくとも１つのメモリと電気的接続を行わなかったと判定し、かつ、位置判定処理により、少なくとも１つのトナーカートリッジの装着位置に対応する色が色情報と合っていないと判定し、かつ、通電判定処理により、印加回路が全ての帯電器と通電したと判定した場合、複数のトナーカートリッジのうち少なくとも１つが装着されておらず、少なくとも１つの複数のトナーカートリッジが色違いであり、全ての複数のドラムカートリッジが装着されていると判定する構成としてもよい。
【００２２】
前記した画像形成装置において、制御部は、接続判定処理により、少なくとも１つのメモリと電気的接続を行わなかったと判定し、かつ、位置判定処理により、少なくとも１つのトナーカートリッジの装着位置に対応する色が色情報と合っていないと判定し、かつ、通電判定処理により、印加回路が少なくとも１つの帯電器と通電しなかったと判定した場合、複数のトナーカートリッジのうち少なくとも１つが装着されておらず、少なくとも１つの複数のトナーカートリッジが色違いであり、複数のドラムカートリッジのうち少なくとも１つが装着されていないと判定する構成としてもよい。
【００２３】
前記した画像形成装置において、接続判定処理は、前記電気的接続として、前記メモリと通信したかを判定する構成としてもよい。
【００２４】
前記した画像形成装置において、制御部は、トナーカートリッジが装着され、ドラムカートリッジが装着されていないと判定した場合、または、トナーカートリッジが装着されておらず、ドラムカートリッジが装着されていると判定した場合、トナーカートリッジをドラムカートリッジに組み付けてから本体筐体に装着するよう報知する構成としてもよい。
【００２５】
これによれば、トナーカートリッジがドラムカートリッジから取り外して、トナーカートリッジのみを交換可能であることをユーザが知らない場合であっても、トナーカートリッジのみが交換可能であることをユーザに知らせることができる。
【００２６】
前記した画像形成装置において、制御部は、画像形成指令を受けた場合に、帯電器に第２電圧を印加する指示を印加回路に送り、第１電圧は、第２電圧より低い電圧である構成としてもよい。
【００２７】
これによれば、第１電圧が第２電圧より低いので、帯電器の立ち上がり時間が短くなり、判定処理を早くすることができる。また、判定処理の消費電力を抑制することができる。
【発明の効果】
【００２８】
本発明によれば、ドラムカートリッジが装着されているかを表す情報と、トナーカートリッジが装着されているかを表す情報とを報知する画像形成装置を提供できる。
また、本発明によれば、ドラムカートリッジが装着されているかを表す情報と、トナーカートリッジが装着されているかを表す情報と、トナーカートリッジの色違いであることを示す情報とを報知する画像形成装置を提供できる。
【図面の簡単な説明】
【００２９】
【図１】本開示の第１実施形態における画像形成装置の概略構成を示す図である。
【図２】トナーカートリッジを取り外したドラムカートリッジを示す斜視図である。
【図３】ドラムカートリッジの断面図である。
【図４】ドラムカートリッジを下から見た図である。
【図５】画像形成装置におけるコネクタと接触式センサの配置を示す斜視図（ａ）と、接触式センサ付近の拡大図（ｂ）である。
【図６】ドラムカートリッジが装着されたときの印加回路の回路図（ａ）と、ドラムカートリッジが装着されていないときの印加回路の回路図（ｂ）である。
【図７】第１実施形態における制御部の処理を示すフローチャートである。
【図８】第２実施形態における画像形成装置の概略構成を示す図である。
【図９】第２実施形態における制御部の処理を示すフローチャートである。
【図１０】図９フローチャートの続きである。
【図１１】メッセージＡ〜Ｃを示す図である。
【発明を実施するための形態】
【００３０】
次に、本発明の第１実施形態について、図面を参照しながら詳細に説明する。
図１に示すように、画像形成装置１はモノクロ用のレーザプリンタである。画像形成装置１は、本体筐体２と、フィーダ部３と、画像形成部４と、制御部１００と、モータ１０１と、を主に備えている。フィーダ部３は、記録シートＳを本体筐体２内に供給する。画像形成部４は、記録シートＳに画像を形成する。
【００３１】
本体筐体２は、中空のケース状に形成されている。本体筐体２は、側壁２１と、側壁２１を繋ぐ前壁２２とを有している。側壁２１には、後述するドラムカートリッジ８を案内するためのガイド溝２１Ａがそれぞれ形成されている。前壁２２には、本体開口２２Ａが形成されるとともに、本体開口２２Ａを開閉するフロントカバー２３が揺動可能に設けられている。ガイド溝２１Ａは、本体筐体２の内部から本体開口２２Ａまで延びている。
【００３２】
フィーダ部３は、本体筐体２の下部に着脱可能に装着される供給トレイ３１と、供給トレイ３１内の記録シートＳを画像形成部４に向けて給紙する供給機構３２とを備えている。
【００３３】
画像形成部４は、スキャナユニット５と、ドラムカートリッジ８と、定着装置７とを備えている。
【００３４】
スキャナユニット５は、本体筐体２内の上部に設けられ、図示しないレーザ発光部、ポリゴンミラー、レンズおよび反射鏡などを備えている。このスキャナユニット５では、レーザビームを、後述する感光体ドラム８１の表面上に高速走査にて照射する。
【００３５】
制御部１００は、例えば、ＣＰＵ、ＲＡＭ、ＲＯＭおよび入出力回路を備えており、装着されたカートリッジの情報やＲＯＭに記憶されたプログラムやデータなどに基づいて演算処理を行うことによって、印刷制御を実行している。
【００３６】
モータ１０１は、画像形成装置１の各部材を駆動する。
【００３７】
ドラムカートリッジ８は、フィーダ部３とスキャナユニット５との間に配置されている。ドラムカートリッジ８は、本体筐体２のフロントカバー２３で開閉される本体開口２２Ａを通して、本体筐体２に対して、装着方向に着脱可能となっている。ドラムカートリッジ８は、本体筐体２に形成されたガイド溝２１Ａに沿って着脱される。つまり、装着方向は、ガイド溝２１Ａに沿った方向である。
【００３８】
ドラムカートリッジ８は、トナーカートリッジ９を分離可能である。トナーカートリッジ９は、ドラムカートリッジ８に対して着脱可能である。ドラムカートリッジ８は、本体筐体２に対して着脱可能である。
【００３９】
ドラムカートリッジ８は、トナーカートリッジ９を装着可能なフレーム８０と、感光体ドラム８１と、転写ローラ８２と、帯電器８３と、ピンチローラ８４とを主に有している。感光体ドラム８１は、軸方向に延びる第１軸Ｘ１について回転可能である。軸方向は、装着方向と交差する第１交差方向である。本実施形態では、軸方向は、装着方向と直交している。
【００４０】
帯電器８３は、ワイヤ電極８３Ａと、グリッド電極８３Ｂとを有する。帯電器８３は、スコロトロン型である。帯電器８３は、印加回路６０によって、電圧が印加されることでコロナ放電を発生させ、感光体ドラム８１の表面を帯電させる。
【００４１】
図２に示すように、フレーム８０は、第１サイドフレーム８０Ｌと、第２サイドフレーム８０Ｒと、ボトムフレーム８０Ｂと、第１開口８０Ｋと、第２開口８０Ｈと、を有している。第１サイドフレーム８０Ｌは、軸方向におけるフレーム８０の一端部に位置する。第２サイドフレーム８０Ｒは、軸方向におけるフレーム８０の他端部に位置する。第１サイドフレーム８０Ｌおよび第２サイドフレーム８０Ｒは、軸方向に交差している。トナーカートリッジ９は、第１サイドフレーム８０Ｌと第２サイドフレーム８０Ｒとの間に装着可能となっている。
【００４２】
ボトムフレーム８０Ｂは、第１サイドフレーム８０Ｌと第２サイドフレーム８０Ｒを繋いでいる。ボトムフレーム８０Ｂは、第１面８０Ｔと第２面８０Ｕと第１開口８０Ｋと第２開口８０Ｈを有している。第１面８０Ｔは、フレーム８０にトナーカートリッジ９が装着された状態において、トナーカートリッジ９と向かい合う面である。第２面８０Ｕは、第１面８０Ｔとは反対側の面である。第１開口８０Ｋは、矩形形状を有している。第１開口８０Ｋは、軸方向におけるボトムフレーム８０Ｂの一端側に位置している。第２開口８０Ｈは、矩形形状を有している。第２開口８０Ｈは、軸方向で第１開口８０Ｋと並んでいる。第２開口８０Ｈは、軸方向に延びている。
【００４３】
ピンチローラ８４は、ボトムフレーム８０Ｂを挟んでトナーカートリッジ９とは反対側に位置している。ピンチローラ８４は、軸方向に延びる第２軸Ｘ２について回転可能である。図１に示すように、ピンチローラ８４は、本体筐体２内に配置されたレジストレーションローラ２９に対向するようになっている。ピンチローラ８４は、レジストレーションローラ２９とともに記録シートＳを案内する。なお、レジストレーションローラ２９は、記録シートＳを搬送する搬送方向において、感光体ドラム８１よりも上流に位置している。
【００４４】
トナーカートリッジ９は、内部にトナーを収容する筐体９０と、現像ローラ９１と、供給ローラ９２とを主に有している。現像ローラ９１は、軸方向に延びる第３軸Ｘ３について回転可能である。現像ローラ９１は感光体ドラム８１にトナーを供給する。供給ローラ９２は筐体９０のトナーを現像ローラ９１に供給する。
【００４５】
このドラムカートリッジ８では、回転する感光体ドラム８１の表面が、帯電器８３により一様に帯電された後、スキャナユニット５からのレーザビームの高速走査により露光される。これにより、露光された部分の電位が下がって、感光体ドラム８１の表面に画像データに基づく静電潜像が形成される。
【００４６】
次いで、回転駆動される現像ローラ９１によってトナーカートリッジ９内のトナーが感光体ドラム８１の静電潜像に供給されて、感光体ドラム８１の表面上にトナー像が形成される。その後、感光体ドラム８１と転写ローラ８２の間で記録シートＳが搬送されることで、感光体ドラム８１の表面に担持されているトナー像が記録シートＳ上に転写される。
【００４７】
定着装置７は、加熱ローラ７１と、加熱ローラ７１と対向して配置され加熱ローラ７１を押圧する加圧ローラ７２とを備えている。そして、このように構成される定着装置７では、記録シートＳ上に転写されたトナーを、記録シートＳが加熱ローラ７１と加圧ローラ７２との間を通過する間に熱定着している。
【００４８】
なお、定着装置７で熱定着された記録シートＳは、定着装置７の下流側に配設される排紙ローラ２４に搬送され、この排紙ローラ２４から排紙トレイ２５上に送り出される。
【００４９】
図３に示すように、トナーカートリッジ９は、メモリの一例としてのＩＣチップ１１０を有している。ＩＣチップ１１０は、トナーカートリッジ９がドラムカートリッジ８に装着されたときに、筐体９０がボトムフレーム８０Ｂに対面する側の底面９０Ｕに位置している。ＩＣチップ１１０は、トナーカートリッジ９に接着により固定されている。
【００５０】
ＩＣチップ１１０は、記憶素子１１１と、電気的接触面１１２を有している。ＩＣチップ１１０の記憶素子１１１には、トナーカートリッジ９の製品情報が記憶されている。
【００５１】
図４に示すように、ＩＣチップ１１０は、軸方向における筐体９０の一端側に位置している。トナーカートリッジ９がドラムカートリッジ８に装着された状態において、ＩＣチップ１１０は、第１開口８０Ｋから露出している。
【００５２】
電気的接触面１１２は、基板の表面に配置された金属層からなる。電気的接触面１１２の表面は平面状である。電気的接触面１１２は、複数配置されている。複数の電気的接触面１１２は、それぞれが装着方向に延びた矩形形状を有している。複数の電気的接触面１１２は、互いに僅かな隙間を空けて、軸方向に並んでいる。
【００５３】
図５（ａ）に示すように、本体筐体２の一端側の側壁２１には、コネクタ１３０が設けられている。具体的には、コネクタ１３０は、側壁２１のガイド溝２１Ａの下に配置されている。コネクタ１３０は、ドラムカートリッジ８が本体筐体２に装着されたとき、電気的接触面１１２と電気的に接触する。コネクタ１３０は、制御部１００と電気的に接続されている（図１参照）。これにより、制御部１００は、コネクタ１３０を介してＩＣチップ１１０と通信可能となっている。なお、制御部１００は、コネクタ１３０を介してＩＣチップ１１０と電気的に接続可能でもある。
【００５４】
本体筐体２には、接触式センサ１２０がさらに設けられている。接触式センサ１２０は、軸方向における本体筐体２の略中央に位置している。ドラムカートリッジ８が本体筐体２に装着された場合、接触式センサ１２０は、搬送方向において、感光体ドラム８１とレジストレーションローラ２９の間に位置するようになっている。
【００５５】
接触式センサ１２０は、第１位置（図５（ｂ）に実線で示す位置）と第２位置（図５（ｂ）に二点鎖線で示す位置）とに移動可能である。図４に示すように、接触式センサ１２０は、本体筐体２にトナーカートリッジ９が装着された場合に、第２開口８０Ｈからトナーカートリッジ９に接触して、第１位置から第２位置に移動するようになっている。
【００５６】
印加回路６０は、帯電器８３に電圧を印加する回路である。図６（ａ）に示すように、印加回路６０は、ワイヤ電極印加部６１とグリッド電極印加部６２とを有している。ワイヤ電極印加部６１は、ワイヤ電極８３Ａに電圧を印加可能である。グリッド電極印加部６２は、グリッド電極８３Ｂに電圧を印加可能である。ワイヤ電極印加部６１は、グリッド電極印加部６２より高い電圧を印加可能である。ワイヤ電極印加部６１は、接点６１Ａを有している。接点６１Ａは、帯電器８３のワイヤ電極８３Ａと通電するための接点である。グリッド電極印加部６２は、接点６２Ａを有している。接点６２Ａは、グリッド電極８３Ｂと通電するための接点である。
【００５７】
画像形成装置１にドラムカートリッジ８が装着された場合には、接点６１Ａはワイヤ電極８３Ａと接続されて通電可能となり、接点６２Ａはグリッド電極８３Ｂと接続されて通電可能となる。この状態で制御部１００が印加回路６０に電圧を印加させる指示を送ると、ワイヤ電極８３Ａおよびグリッド電極８３Ｂに電圧が印加され、グリッド電極印加部６２にはグリッド電流Ｉｇが流れる。グリッド電流Ｉｇが流れた場合には、グリッド電流Ｉｇがながれたことを示す情報が制御部１００に送られる。
【００５８】
一方、図６（ｂ）に示すように、画像形成装置１にドラムカートリッジ８が装着されていない場合には、制御部１００が印加回路６０に電圧を印加させる指示を送っても、グリッド電極印加部６２にはグリッド電流Ｉｇが流れない。
【００５９】
制御部１００は、通信処理と、接続判定処理と、送信処理と、通電判定処理と、報知処理と、を実行可能である。
【００６０】
制御部１００は、コネクタ１３０を介してＩＣチップ１１０と通信する。通信処理は、ＩＣチップ１１０から情報を取得する処理である。接続判定処理は、通信処理を実行した場合に、ＩＣチップ１１０と通信したかを判定する処理である。なお、接続判定処理として、制御部１００は、コネクタ１３０とＩＣチップ１１０とが電気的接続を行ったかを判定してもよい。
【００６１】
送信処理は、帯電器８３に第１電圧Ｖ１を印加させる指示を印加回路６０に送る処理である。通電判定処理は、送信処理を実行した場合に、印加回路６０が帯電器８３と通電したかを判定する処理である。制御部１００は、印加回路６０に印加させる指示を送ったときに、グリッド電極印加部６２にグリッド電流Ｉｇが流れたことを検出した場合に、印加回路６０が帯電器８３と通電したこと判定することができる。
【００６２】
報知処理は、接続判定処理および通電判定処理の結果に応じて、ドラムカートリッジ８が本体筐体２に装着されているかを表す情報およびトナーカートリッジ９が本体筐体２に装着されているかを表す情報を報知する処理である。
【００６３】
制御部１００は、ＩＣチップ１１０と通信した（または、制御部１００は、コネクタ１３０とＩＣチップ１１０とが電気的接続を行った）と判定し、かつ、帯電器８３と通電したと判定した場合、トナーカートリッジ９が装着され、ドラムカートリッジ８が装着されていると判定する。
【００６４】
制御部１００は、ＩＣチップ１１０と通信した（または、制御部１００は、コネクタ１３０とＩＣチップ１１０とが電気的接続を行った）と判定し、かつ、帯電器８３と通電しなかったと判定した場合、トナーカートリッジ９が装着され、ドラムカートリッジ８が装着されていないと判定する。
【００６５】
制御部１００はＩＣチップ１１０と通信しなかった（または、制御部１００は、コネクタ１３０とＩＣチップ１１０とが電気的接続を行わなかった）と判定し、かつ、帯電器８３と通電したと判定した場合、トナーカートリッジ９が装着されておらず、ドラムカートリッジ８が装着されていると判定する。
【００６６】
制御部１００は、ＩＣチップ１１０と通信しなかった（または、制御部１００は、コネクタ１３０とＩＣチップ１１０とが電気的接続を行わなかった）と判定し、かつ、帯電器８３と通電しなかったと判定した場合、トナーカートリッジ９が装着されておらず、ドラムカートリッジ８が装着されていないと判定する。
【００６７】
制御部は、トナーカートリッジ９が装着され、ドラムカートリッジ８が装着されていないと判定した場合、または、トナーカートリッジ９が装着されておらず、ドラムカートリッジ８が装着されていると判定した場合、トナーカートリッジ９をドラムカートリッジ８に組み付けてから本体筐体２に装着するよう報知する。
【００６８】
制御部１００は、接触式センサ１２０が第２位置にあることを示す信号を受け取った場合、トナーカートリッジ９が装着されていると判定することができる。一方、制御部１００は、接触式センサ１２０が第１位置にあることを示す信号を受け取った場合、トナーカートリッジ９が装着されていないと判定することができる。
【００６９】
次に、制御部１００が実行する処理の一例について、図７のフローチャートで説明する。
【００７０】
図７に示すように、フロントカバー２３が開かれた場合には、制御部１００は、フロントカバー２３が閉じられたかを判定する（Ｓ１）。
【００７１】
ステップＳ１において、制御部１００が、フロントカバー２３が閉じられていないと判定した場合（Ｓ１，Ｎｏ）には、制御部１００は、ステップＳ１の判定処理を繰り返し実行する。一方、制御部１００が、フロントカバー２３が閉じられたと判定した場合（Ｓ１，Ｙｅｓ）には、制御部１００は、トナーカートリッジ９のＩＣチップ１１０と通信を試み、ＩＣチップ１１０と通信可能か（または、制御部１００は、コネクタ１３０とＩＣチップ１１０とが電気的接続可能か）を判定する（Ｓ２，通信処理、接続判定処理）。
なお、ステップＳ２において、制御部１００は、ＩＣチップ１１０と通信可能であると判定する（または、制御部１００は、コネクタ１３０とＩＣチップ１１０とが電気的接続を行ったと判定する）とともに、接触式センサ１２０が第２位置にあるかを判定してもよい。すなわち、かつＩＣチップ１１０と通信可能（または電気的接続可能）であると判定し、接触式センサ１２０が第２位置にあると判定した場合に、ステップＳ３を実行するようにしてもよい。
【００７２】
ステップＳ２において、制御部１００は、ＩＣチップ１１０と通信可能（または電気的接続可能）であると判定する（または、制御部１００は、コネクタ１３０とＩＣチップ１１０とが電気的接続を行ったと判定する）と（Ｓ２，Ｙｅｓ）、制御部１００は、印加回路６０に第１電圧Ｖ１を印加させる指示をする（Ｓ３，送信処理）。なお、第１電圧Ｖ１は、後述する第２電圧Ｖ２より低い電圧である。
【００７３】
ステップＳ３の後、制御部１００は、第１時間Ｔ１待ち（Ｓ４）、モータ１０１を駆動させる（Ｓ５）。ステップＳ５の後、制御部１００は、印加回路６０が帯電器８３と通電したかを判定する（Ｓ６，通電判定処理）。第１時間Ｔ１は、予め制御部１００に記憶されている所定値である。印加回路６０に第１電圧Ｖ１を印加させる指示をしてから、グリッド電極８３Ｂにグリッド電流Ｉｇが流れるまでの時間より少し長い時間である。モータ１０１を駆動させると、印刷開始状態へ移行するために、感光体ドラム８１などが回転するようになっている。
【００７４】
ステップＳ６において、制御部１００は、印加回路６０が帯電器８３と通電したと判定した場合（Ｓ６，Ｙｅｓ）、制御部１００は、トナーカートリッジ９が装着され（トナーカートリッジ有）、ドラムカートリッジ８が装着された（ドラムカートリッジ有）と判定する（Ｓ１１）。
【００７５】
ステップＳ１１の後、制御部１００は、印加回路６０に第２電圧Ｖ２を印加し（Ｓ１２）、印刷開始状態へ移行する（Ｓ１３）。なお、第２電圧Ｖ２は、画像形成指令を受けた場合に、帯電器８３印加する電圧である。
【００７６】
一方、ステップＳ６において、制御部１００は、印加回路６０が帯電器８３と通電しないと判定した場合（Ｓ６，Ｎｏ）、制御部１００は、トナーカートリッジ９が装着され（トナーカートリッジ有）、ドラムカートリッジ８が装着されていない（ドラムカートリッジ無）と判定する（Ｓ２１）。
【００７７】
ステップＳ２１の後、制御部１００は、印刷開始状態へ移行する必要がないとして、印加回路６０への印加を停止し、モータ１０１を停止する（Ｓ２２）。ステップＳ２２の後、制御部１００は、ユーザにトナーカートリッジ有、ドラムカートリッジ無、と報知する（Ｓ２３，報知処理）。このとき、ユーザにトナーカートリッジ９をドラムカートリッジ８に組み付けて（セットして）から本体筐体２に装着するよう報知してもよい。
【００７８】
ステップＳ２において、ＩＣチップ１１０と通信可能でない（または、制御部１００は、コネクタ１３０とＩＣチップ１１０とが電気的接続を行わなかった）と判定した場合（Ｓ２，Ｎｏ）、制御部１００は、印加回路６０に第１電圧Ｖ１を印加させる指示をする（Ｓ７）。
【００７９】
ステップＳ７の後、制御部１００は、第１時間Ｔ１待ち（Ｓ８）、印加回路６０が帯電器８３と通電したかを判定する（Ｓ９）。
【００８０】
ステップＳ９において、制御部１００は、印加回路６０が帯電器８３と通電したと判定すると（Ｓ９，Ｙｅｓ）、制御部１００は、トナーカートリッジ９が装着されておらず（トナーカートリッジ無）、ドラムカートリッジ８が装着された（ドラムカートリッジ有）と判定する（Ｓ３１）。このとき、ユーザにトナーカートリッジ９をドラムカートリッジ８に組み付けて（セットして）から本体筐体２に装着するよう報知してもよい。
【００８１】
ステップＳ３１の後、制御部１００は、印刷開始状態へ移行する必要がないとして、印加回路６０へ第１電圧Ｖ１を印加させる指示を停止する（Ｓ３２）。ステップＳ３２の後、制御部１００は、ユーザにトナーカートリッジ無、ドラムカートリッジ有、と報知する（Ｓ３３，報知処理）。
【００８２】
一方、ステップＳ９において、制御部１００は、印加回路６０が帯電器８３と通電していないと判定すると（Ｓ９，Ｎｏ）、制御部１００は、トナーカートリッジ９が装着されておらず（トナーカートリッジ無）、ドラムカートリッジ８が装着されていない（ドラムカートリッジ無）と判定する（Ｓ４１）。
【００８３】
ステップＳ４１の後、制御部１００は、印刷開始状態へ移行する必要がないとして、印加回路６０へ第１電圧Ｖ１を印加させる指示を停止する（Ｓ４２）。ステップＳ４２の後、制御部１００は、ユーザにトナーカートリッジ無、ドラムカートリッジ無、と報知する（Ｓ４３，報知処理）。
【００８４】
以上のように構成された画像形成装置１の作用および効果について説明する。
【００８５】
画像形成装置１によれば、接続判定処理と、通電判定処理との結果に応じて、ドラムカートリッジ８が本体筐体２に装着されているかを表す情報およびトナーカートリッジ９が本体筐体２に装着されているかを表す情報を報知することができる。このため、ドラムカートリッジ８とトナーカートリッジ９のどちらか一方のみを装着してしまった場合には、装着されていないカートリッジを装着する旨をユーザに報知できる。
【００８６】
また、制御部１００は、トナーカートリッジ９が装着され、ドラムカートリッジ８が装着されていないと判定した場合、または、トナーカートリッジ９が装着されておらず、ドラムカートリッジ８が装着されていると判定した場合、トナーカートリッジ９をドラムカートリッジ８に組み付けてから本体筐体２に装着するよう報知する。このため、トナーカートリッジ９がドラムカートリッジ８から取り外して、トナーカートリッジのみが交換可能であることをユーザが知らない場合であっても、トナーカートリッジ９のみが交換可能であることをユーザに知らせることができる。
【００８７】
また、通電判定処理を実行するときの第１電圧Ｖ１が画像形成を実行するときの第２電圧Ｖ２より低いので、帯電器８３が立ち上がる時間が短くなり、通電判定処理を短い時間で処理することができる。また、通電判定処理の消費電力を抑制することができる。
【００８８】
接触式センサ１２０によって、トナーカートリッジ９が本体筐体２に装着されていることを判定することができる。制御部１００は、接続判定処理に加えて、接触式センサ１２０による装着判定を行うことで、トナーカートリッジ９が装着されていることをより確実に判定できる。
【００８９】
次に、本発明の第２実施形態について、図面を参照しながら詳細に説明する。以下の説明においては、第１実施形態と略同様の構造となる部材には同一の符号を付し、その説明は省略する。
【００９０】
図８に示すように、画像形成装置１Ａは、カラー用のレーザプリンタである。画像形成装置１Ａは、本体筐体２Ａ内に、画像形成部４Ａと制御部１００Ａ等を備えている。
【００９１】
画像形成部４Ａは、複数のドラムカートリッジを備えている。本実施形態では、４色のトナーに対応して、４つのドラムカートリッジを備えている。４つのドラムカートリッジは、イエロー用（Ｙ）、マゼンタ用（Ｍ）、シアン用（Ｃ）およびブラック用（Ｋ）の各色のトナーに対応したものが、記録シートＳの搬送方向の上流側から下流側に向けてこの順で並んで配置されている。以下の説明では、ドラムカートリッジ８Ｙ，８Ｍ，８Ｃ，８Ｋのように、符号にＹ，Ｍ，Ｃ，Ｋを付して、各色を区別することとする。
【００９２】
各ドラムカートリッジ８Ｙ，８Ｍ，８Ｃ，８Ｋと、各トナーカートリッジ９Ｙ，９Ｍ，９Ｃ，９Ｋとは、それぞれ独立して交換可能である。各トナーカートリッジ９Ｙ，９Ｍ，９Ｃ，９Ｋは、各ドラムカートリッジ８Ｙ，８Ｍ，８Ｃ，８Ｋに対してそれぞれ独立して着脱可能である。各ドラムカートリッジ８Ｙ，８Ｍ，８Ｃ，８Ｋは、それぞれ独立して本体筐体２Ａに対して着脱可能である。
【００９３】
各ドラムカートリッジ８Ｙ，８Ｍ，８Ｃ，８Ｋは、それぞれ、感光体ドラム８１Ｙ，８１Ｍ，８１Ｃ，８１Ｋと、帯電器８３Ｙ，８３Ｍ，８３Ｃ，８３Ｋとを有する。各帯電器８３Ｙ，８３Ｍ，８３Ｃ，８３Ｋには、それぞれ、電圧を印加する印加回路が設けられている（図示省略）。
【００９４】
各トナーカートリッジ９Ｙ，９Ｍ，９Ｃ，９Ｋは、互いに異なる色のトナーが収容されている。各トナーカートリッジ９Ｙ，９Ｍ，９Ｃ，９Ｋは、それぞれ、メモリの一例としてのＩＣチップ１１０Ｙ，１１０Ｍ，１１０Ｃ，１１０Ｋを有する。各ＩＣチップ１１０Ｙ，１１０Ｍ，１１０Ｃ，１１０Ｋの記憶素子には、各トナーカートリッジ９Ｙ，９Ｍ，９Ｃ，９Ｋの対応する色情報と製品情報が記憶されている。
【００９５】
本体筐体２には、各ＩＣチップ１１０Ｙ，１１０Ｍ，１１０Ｃ，１１０Ｋに対応して、４つのコネクタ１３０Ｙ，１３０Ｍ，１３０Ｃ，１３０Ｋが設けられている。各コネクタ１３０Ｙ，１３０Ｍ，１３０Ｃ，１３０Ｋは、各ドラムカートリッジ８Ｙ，８Ｍ，８Ｃ，８Ｋが本体筐体２Ａに装着されたとき、各ＩＣチップ１１０Ｙ，１１０Ｍ，１１０Ｃ，１１０Ｋの電気的接触面と接触する。各コネクタ１３０Ｙ，１３０Ｍ，１３０Ｃ，１３０Ｋは、制御部１００Ａと電気的に接続されている。これにより、制御部１００Ａは、コネクタ１３０Ｙ，１３０Ｍ，１３０Ｃ，１３０Ｋを介してＩＣチップ１１０Ｙ，１１０Ｍ，１１０Ｃ，１１０Ｋと通信可能（または電気的接続可能）となっている。各コネクタ１３０Ｙ，１３０Ｍ，１３０Ｃ，１３０Ｋに読み取られた各トナーカートリッジ９Ｙ，９Ｍ，９Ｃ，９Ｋの情報は、制御部１００に送られる。
【００９６】
制御部１００Ａは、通信処理と、接続判定処理と、位置判定処理と、送信処理と、通電判定処理と、報知処理と、を実行可能である。通信処理、接続判定処理、送信処理および通電判定処理は、第１実施形態と同様の処理であるため説明を省略する。
【００９７】
位置判定処理は、通信処理を実行した場合に、各トナーカートリッジ９Ｙ，９Ｍ，９Ｃ，９Ｋの装着位置に対応する色が、通信処理で取得した色情報と合っているか判定する処理である。なお、各トナーカートリッジ９Ｙ，９Ｍ，９Ｃ，９Ｋの装着位置に対応する色は、予め制御部１００Ａに記憶されている。
【００９８】
報知処理は、接続判定処理と位置判定処理と通電判定処理の結果に応じて、各ドラムカートリッジ８Ｙ，８Ｍ，８Ｃ，８Ｋが本体筐体２Ａに装着されているかを表す情報と、各トナーカートリッジ９Ｙ，９Ｍ，９Ｃ，９Ｋが本体筐体２Ａに装着されているかを表す情報と、各トナーカートリッジ９Ｙ，９Ｍ，９Ｃ，９Ｋの装着位置が合っていない色違いであることを示す情報と、を報知する処理である。
【００９９】
制御部１００Ａは、全てのＩＣチップ１１０Ｙ，１１０Ｍ，１１０Ｃ，１１０Ｋと通信したと判定し（または、制御部１００Ａは、全てのＩＣチップ１１０Ｙ，１１０Ｍ，１１０Ｃ，１１０Ｋと、コネクタ１３０とが電気的接続を行ったと判定し）、かつ、全てのトナーカートリッジ９Ｙ，９Ｍ，９Ｃ，９Ｋの装着位置に対応する色が色情報と合っていると判定し、かつ、印加回路が全ての帯電器８３と通電したと判定した場合、制御部１００Ａは、全てのトナーカートリッジ９Ｙ，９Ｍ，９Ｃ，９Ｋが装着され、全てのトナーカートリッジ９Ｙ，９Ｍ，９Ｃ，９Ｋが色違い無し、全てのドラムカートリッジ８Ｙ，８Ｍ，８Ｃ，８Ｋが装着されていると判定する。
【０１００】
制御部１００Ａは、全てのＩＣチップ１１０Ｙ，１１０Ｍ，１１０Ｃ，１１０Ｋと通信したと判定し（または、制御部１００Ａは、全てのＩＣチップ１１０Ｙ，１１０Ｍ，１１０Ｃ，１１０Ｋと、コネクタ１３０とが電気的接続を行ったと判定し）、かつ、全てのトナーカートリッジ９Ｙ，９Ｍ，９Ｃ，９Ｋの装着位置に対応する色が色情報と合っていると判定し、かつ、印加回路が少なくとも１つの帯電器８３Ｙ，８３Ｍ，８３Ｃ，８３Ｋと通電しなかったと判定した場合、制御部１００Ａは、全てのトナーカートリッジ９Ｙ，９Ｍ，９Ｃ，９Ｋが装着され（トナーカートリッジ全部有）、全てのトナーカートリッジ９Ｙ，９Ｍ，９Ｃ，９Ｋが色違い無し、ドラムカートリッジ８Ｙ，８Ｍ，８Ｃ，８Ｋのうち少なくとも１つが装着されていない（ドラムカートリッジの少なくとも１つが無い）と判定する。
【０１０１】
制御部１００Ａは、全てのＩＣチップ１１０Ｙ，１１０Ｍ，１１０Ｃ，１１０Ｋと通信したと判定し（または、制御部１００Ａは、全てのＩＣチップ１１０Ｙ，１１０Ｍ，１１０Ｃ，１１０Ｋと、コネクタ１３０とが電気的接続を行ったと判定し）、かつ、少なくとも１つのトナーカートリッジ９の装着位置に対応する色が色情報と合っていないと判定し、かつ、印加回路が全ての帯電器８３Ｙ，８３Ｍ，８３Ｃ，８３Ｋと通電したと判定した場合、制御部１００は、全てのトナーカートリッジ９Ｙ，９Ｍ，９Ｃ，９Ｋが装着され（トナーカートリッジ全部有）、少なくとも１つのトナーカートリッジ９Ｙ，９Ｍ，９Ｃ，９Ｋが色違いであり、全てのドラムカートリッジ８Ｙ，８Ｍ，８Ｃ，８Ｋが装着されている（ドラムカートリッジ全部有）と判定する。
【０１０２】
制御部１００Ａは、全てのＩＣチップ１１０Ｙ，１１０Ｍ，１１０Ｃ，１１０Ｋと通信したと判定し（または、制御部１００Ａは、全てのＩＣチップ１１０Ｙ，１１０Ｍ，１１０Ｃ，１１０Ｋと、コネクタ１３０とが電気的接続を行ったと判定し）、かつ、少なくとも１つのトナーカートリッジ９Ｙ，９Ｍ，９Ｃ，９Ｋの装着位置に対応する色が色情報と合っていないと判定し、かつ、印加回路が少なくとも１つの帯電器８３Ｙ，８３Ｍ，８３Ｃ，８３Ｋと通電しなかったと判定した場合、制御部１００は、全てのトナーカートリッジ９Ｙ，９Ｍ，９Ｃ，９Ｋが装着され（トナーカートリッジ全部有）、少なくとも１つのトナーカートリッジ９Ｙ，９Ｍ，９Ｃ，９Ｋが色違いであり、ドラムカートリッジ８Ｙ，８Ｍ，８Ｃ，８Ｋのうち少なくとも１つが装着されていない（ドラムカートリッジの少なくとも１つが無い）と判定し、と判定する。
【０１０３】
制御部１００Ａは、少なくとも１つのＩＣチップ１１０Ｙ，１１０Ｍ，１１０Ｃ，１１０Ｋと通信しなかったと判定し（または、制御部１００Ａは、少なくとも１つのＩＣチップ１１０Ｙ，１１０Ｍ，１１０Ｃ，１１０Ｋと、コネクタ１３０とが電気的接続を行わなかったと判定し）、かつ、通信できたトナーカートリッジ９の装着位置に対応する色が色情報と合っていると判定し、かつ、印加回路が全ての帯電器８３Ｙ，８３Ｍ，８３Ｃ，８３Ｋと通電したと判定した場合、制御部１００Ａは、トナーカートリッジ９Ｙ，９Ｍ，９Ｃ，９Ｋのうち少なくとも１つが装着されておらず（トナーカートリッジの少なくとも１つが無い）、通信できたトナーカートリッジ９Ｙ，９Ｍ，９Ｃ，９Ｋが色違い無し、全てのドラムカートリッジ８Ｙ，８Ｍ，８Ｃ，８Ｋが装着されている（ドラムカートリッジ全部有）と判定する。
【０１０４】
制御部１００は、少なくとも１つのＩＣチップ１１０Ｙ，１１０Ｍ，１１０Ｃ，１１０Ｋと通信しなかったと判定し（または、制御部１００Ａは、少なくとも１つのＩＣチップ１１０Ｙ，１１０Ｍ，１１０Ｃ，１１０Ｋと、コネクタ１３０とが電気的接続を行わなかったと判定し）、かつ、通信できたトナーカートリッジ９Ｙ，９Ｍ，９Ｃ，９Ｋの装着位置に対応する色が色情報と合っていると判定し、かつ、印加回路が少なくとも１つの帯電器８３Ｙ，８３Ｍ，８３Ｃ，８３Ｋと通電しなかったと判定した場合、制御部１００Ａは、トナーカートリッジ９Ｙ，９Ｍ，９Ｃ，９Ｋのうち少なくとも１つが装着されておらず（トナーカートリッジの少なくとも１つが無い）、通信できたトナーカートリッジ９Ｙ，９Ｍ，９Ｃ，９Ｋが色違い無し、ドラムカートリッジ８Ｙ，８Ｍ，８Ｃ，８Ｋのうち少なくとも１つが装着されていない（ドラムカートリッジの少なくとも１つが無い）と判定する。
【０１０５】
制御部１００は、少なくとも１つのＩＣチップ１１０Ｙ，１１０Ｍ，１１０Ｃ，１１０Ｋと通信しなかったと判定し（または、制御部１００Ａは、少なくとも１つのＩＣチップ１１０Ｙ，１１０Ｍ，１１０Ｃ，１１０Ｋと、コネクタ１３０とが電気的接続を行わなかったと判定し）、かつ、少なくとも１つのトナーカートリッジ９Ｙ，９Ｍ，９Ｃ，９Ｋの装着位置に対応する色が色情報と合っていないと判定し、かつ、印加回路が全ての帯電器８３Ｙ，８３Ｍ，８３Ｃ，８３Ｋと通電したと判定した場合、制御部１００Ａは、トナーカートリッジ９Ｙ，９Ｍ，９Ｃ，９Ｋのうち少なくとも１つが装着されておらず（トナーカートリッジの少なくとも１つが無い）、少なくとも１つのトナーカートリッジ９Ｙ，９Ｍ，９Ｃ，９Ｋが色違いであり、全てのドラムカートリッジ８Ｙ，８Ｍ，８Ｃ，８Ｋが装着されている（ドラムカートリッジ全部有）と判定する。
【０１０６】
制御部１００は、少なくとも１つのＩＣチップ１１０Ｙ，１１０Ｍ，１１０Ｃ，１１０Ｋと通信しなかったと判定し（または、制御部１００Ａは、少なくとも１つのＩＣチップ１１０Ｙ，１１０Ｍ，１１０Ｃ，１１０Ｋと、コネクタ１３０とが電気的接続を行わなかったと判定し）、かつ、少なくとも１つのトナーカートリッジ９Ｙ，９Ｍ，９Ｃ，９Ｋの装着位置に対応する色が色情報と合っていないと判定し、かつ、印加回路が少なくとも１つの帯電器８３Ｙ，８３Ｍ，８３Ｃ，８３Ｋと通電しなかったと判定した場合、制御部１００Ａは、トナーカートリッジ９Ｙ，９Ｍ，９Ｃ，９Ｋのうち少なくとも１つが装着されておらず（トナーカートリッジの少なくとも１つが無い）、少なくとも１つのトナーカートリッジ９Ｙ，９Ｍ，９Ｃ，９Ｋが色違いであり、ドラムカートリッジ８Ｙ，８Ｍ，８Ｃ，８Ｋのうち少なくとも１つが装着されていない（ドラムカートリッジの少なくとも１つが無い）と判定する。
【０１０７】
次に、制御部１００Ａが実行する処理の一例について、図９，１０のフローチャートで説明する。
【０１０８】
図９に示すように、フロントカバー２３が開かれた場合には、制御部１００Ａは、フロントカバー２３が閉じられたかを判定する（Ｓ１０１）。
【０１０９】
ステップＳ１０１において、制御部１００Ａは、フロントカバー２３が閉じられていないと判定した場合（Ｓ１０１，Ｎｏ）には、制御部１００Ａは、ステップＳ１の判定処理を繰り返し実行する。一方、制御部１００Ａが、フロントカバー２３が閉じられたと判定した場合（Ｓ１０１，Ｙｅｓ）には、制御部１００Ａは、各トナーカートリッジ９Ｙ，９Ｍ，９Ｃ，９Ｋの各ＩＣチップ１１０Ｙ，１１０Ｍ，１１０Ｃ，１１０Ｋと通信（または電気的接続）を試み、各ＩＣチップ１１０Ｙ，１１０Ｍ，１１０Ｃ，１１０Ｋと通信可能か（または電気的に接続可能か）をそれぞれ判定する（Ｓ１０２，通信処理、接続判定処理）。また、制御部１００Ａは、通信処理によって、各ＩＣチップ１１０Ｙ，１１０Ｍ，１１０Ｃ，１１０Ｋから色情報を取得する。
【０１１０】
ステップＳ１０２において、制御部１００Ａが、全てのＩＣチップ１１０Ｙ，１１０Ｍ，１１０Ｃ，１１０Ｋと通信可能と判定した（または、制御部１００Ａは、全てのＩＣチップ１１０Ｙ，１１０Ｍ，１１０Ｃ，１１０Ｋと、コネクタ１３０とが電気的接続可能と判定した）場合（Ｓ１０２，Ｙｅｓ）、制御部１００Ａは、各トナーカートリッジ９Ｙ，９Ｍ，９Ｃ，９Ｋの装着位置に対応する色が、通信処理で取得した色情報と合っているかを判定する（Ｓ１０３，位置判定処理）。
【０１１１】
ステップＳ１０３において、制御部１００が、全てのトナーカートリッジ９Ｙ，９Ｍ，９Ｃ，９Ｋの色情報と位置情報が一致していると判定した場合（Ｓ１０３，Ｙｅｓ）、制御部１００Ａは、印加回路に第１電圧Ｖ１を印加させる指示を送る（Ｓ１１０，送信処理）。
【０１１２】
ステップＳ１１０の後、制御部１００Ａは、第１時間Ｔ１待ち（Ｓ１１１）、モータ１０１をＯＮする（Ｓ１１２）。そして、制御部１００Ａは、印加回路が全ての帯電器８３Ｙ，８３Ｍ，８３Ｃ，８３Ｋと通電したかを判定する（Ｓ１１３，通電判定処理）。
【０１１３】
ステップＳ１１３において、制御部１００が、印加回路が全ての帯電器８３Ｙ，８３Ｍ，８３Ｃ，８３Ｋと通電したと判定した場合（Ｓ１１３，Ｙｅｓ）、制御部１００Ａは、全てのトナーカートリッジ９Ｙ，９Ｍ，９Ｃ，９Ｋが装着され（トナーカートリッジ全部有）、全てのトナーカートリッジ９Ｙ，９Ｍ，９Ｃ，９Ｋが色違い無し、全てのドラムカートリッジ８Ｙ，８Ｍ，８Ｃ，８Ｋが装着されている（ドラムカートリッジ全部有）と判定する（Ｓ１１４）。そして、制御部１００Ａは、印加回路に第２電圧Ｖ２を印加させる指示をして（Ｓ１１５）、印刷開始状態へ移行する（Ｓ１１６）。
【０１１４】
ステップＳ１１３において、制御部１００が、少なくとも１つの帯電器８３Ｙ，８３Ｍ，８３Ｃ，８３Ｋが印加回路と通電していないと判定した場合（Ｓ１１３，Ｎｏ）、制御部１００Ａは、全てのトナーカートリッジ９Ｙ，９Ｍ，９Ｃ，９Ｋが装着され（トナーカートリッジ全部有）、全てのトナーカートリッジ９Ｙ，９Ｍ，９Ｃ，９Ｋが色違い無し、ドラムカートリッジ８Ｙ，８Ｍ，８Ｃ，８Ｋのうち少なくとも１つが装着されていない（ドラムカートリッジの少なくとも１つが無い）と判定する（Ｓ１１７）。そして、制御部１００Ａは、印加回路へ電圧を印加させる指示を停止し、モータ１０１を停止する（Ｓ１１８）。そして、ユーザにメッセージＡを報知する（Ｓ１１９，報知処理）。
【０１１５】
メッセージＡは、例えば、表示パネルなどに「ドラムカートリッジがありません。トナーカートリッジをドラムカートリッジに組み付けてから装着して下さい。」と表示すればよい（図１１参照）。メッセージＡは、図、絵、音声などによってユーザに通知してもよい。
【０１１６】
一方、ステップＳ１０３において、制御部１００が、少なくとも１つのトナーカートリッジ９Ｙ，９Ｍ，９Ｃ，９Ｋの装着位置に対応する色が、通信処理で取得した色情報と合っていない場合（Ｓ１０３，Ｎｏ）、制御部１００Ａは、色が合っていないトナーカートリッジ９Ｙ，９Ｍ，９Ｃ，９Ｋを特定し（Ｓ１０４）、印加回路に第１電圧Ｖ１を印加させる指示を送る（Ｓ１２０，送信処理）。
【０１１７】
ステップＳ１２０の後、制御部１００Ａは、第１時間Ｔ１待ち（Ｓ１２１）、印加回路が全ての帯電器８３Ｙ，８３Ｍ，８３Ｃ，８３Ｋと通電したかを判定する（Ｓ１２３，通電判定処理）。
【０１１８】
ステップＳ１２３において、制御部１００が、印加回路が全ての帯電器８３Ｙ，８３Ｍ，８３Ｃ，８３Ｋと通電したと判定した場合（Ｓ１２３，Ｙｅｓ）、制御部１００Ａは、全てのトナーカートリッジ９Ｙ，９Ｍ，９Ｃ，９Ｋが装着され（トナーカートリッジ全部有）、少なくとも１つのトナーカートリッジ９Ｙ，９Ｍ，９Ｃ，９Ｋが色違いであり、全てのドラムカートリッジ８Ｙ，８Ｍ，８Ｃ，８Ｋが装着されている（ドラムカートリッジ全部有）と判定する（Ｓ１２４）。そして、制御部１００Ａは、印加回路へ電圧を印加させる指示を停止し（Ｓ１２５）、ユーザにメッセージＣを報知する（Ｓ１２６，報知処理）。
【０１１９】
メッセージＣは、例えば、表示パネルなどに「トナーカートリッジの色が違います。トナーカートリッジを正しい位置に装着して下さい。」と表示すればよい（図１１参照）。メッセージＣは、図、絵、音声などによってユーザに通知してもよい。
【０１２０】
ステップＳ１２３において、制御部１００が、少なくとも１つの帯電器８３Ｙ，８３Ｍ，８３Ｃ，８３Ｋが印加回路と通電していない（または、制御部１００Ａは、少なくとも１つのＩＣチップ１１０Ｙ，１１０Ｍ，１１０Ｃ，１１０Ｋと、コネクタ１３０とが電気的接続を行わなかった）と判定した場合（Ｓ１２３，Ｎｏ）、制御部１００Ａは、全てのトナーカートリッジ９Ｙ，９Ｍ，９Ｃ，９Ｋが装着され（トナーカートリッジ全部有）、少なくとも１つのトナーカートリッジ９Ｙ，９Ｍ，９Ｃ，９Ｋが色違いであり、ドラムカートリッジ８Ｙ，８Ｍ，８Ｃ，８Ｋのうち少なくとも１つが装着されていない（ドラムカートリッジの少なくとも１つが無い）と判定する（Ｓ１２７）。そして、制御部１００Ａは、印加回路への印加を停止し（Ｓ１２８）、ユーザにメッセージＡとメッセージＣを報知する（Ｓ１２９，報知処理）。
【０１２１】
一方、ステップＳ１０２において、制御部１００が、少なくとも１つのＩＣチップ１１０Ｙ，１１０Ｍ，１１０Ｃ，１１０Ｋと通信可能でない（または、制御部１００Ａは、少なくとも１つのＩＣチップ１１０Ｙ，１１０Ｍ，１１０Ｃ，１１０Ｋと、コネクタ１３０とが電気的接続を行わなかった）場合（Ｓ１０２，Ｎｏ）、図１０に示すように、制御部１００Ａは、ＩＣチップ１１０Ｙ，１１０Ｍ，１１０Ｃ，１１０Ｋのどれが通信できないかを特定する（Ｓ１０５）。
【０１２２】
ステップＳ１０５の後、制御部１００Ａは、通信できたトナーカートリッジ９Ｙ，９Ｍ，９Ｃ，９Ｋの装着位置に対応する色が、通信処理で取得した色情報と全て合っているかを判定する（Ｓ１０６，位置判定処理）。
【０１２３】
ステップＳ１０６において、制御部１００が、通信できたトナーカートリッジ９Ｙ，９Ｍ，９Ｃ，９Ｋの装着位置に対応する色が、通信処理で取得した色情報と全て合っている場合（Ｓ１０６，Ｙｅｓ）、制御部１００Ａは、印加回路に第１電圧Ｖ１を印加させる指示を送る（Ｓ１３０，送信処理）。
【０１２４】
ステップＳ１３０の後、制御部１００Ａは、第１時間Ｔ１待ち（Ｓ１３１）、印加回路が全ての帯電器８３Ｙ，８３Ｍ，８３Ｃ，８３Ｋと通電したかを判定する（Ｓ１３３，通電判定処理）。
【０１２５】
ステップＳ１３３において、制御部１００が、印加回路が全ての帯電器８３Ｙ，８３Ｍ，８３Ｃ，８３Ｋと通電したと判定した場合（Ｓ１３３，Ｙｅｓ）、制御部１００Ａは、トナーカートリッジ９Ｙ，９Ｍ，９Ｃ，９Ｋのうち少なくとも１つが装着されておらず（トナーカートリッジの少なくとも１つが無い）、通信（または電気的接続）できたトナーカートリッジ９Ｙ，９Ｍ，９Ｃ，９Ｋが色違い無し、全てのドラムカートリッジ８Ｙ，８Ｍ，８Ｃ，８Ｋが装着されている（ドラムカートリッジ全部有）と判定する（Ｓ１３４）。そして、制御部１００Ａは、印加回路へ電圧を印加させる指示を停止し（Ｓ１３５）、ユーザにメッセージＢを報知する（Ｓ１３６，報知処理）。
【０１２６】
メッセージＢは、例えば、表示パネルなどに「トナーカートリッジがありません。トナーカートリッジをドラムカートリッジに組み付けてから装着して下さい。」と表示すればよい（図１１参照）。メッセージＢは、図、絵、音声などによってユーザに通知してもよい。
【０１２７】
ステップＳ１３３において、制御部１００が、少なくとも１つの帯電器８３Ｙ，８３Ｍ，８３Ｃ，８３Ｋが印加回路と通電していないと判定した場合（Ｓ１３３，Ｎｏ）、制御部１００Ａは、トナーカートリッジ９Ｙ，９Ｍ，９Ｃ，９Ｋのうち少なくとも１つが装着されておらず（トナーカートリッジの少なくとも１つが無い）、通信できたトナーカートリッジ９Ｙ，９Ｍ，９Ｃ，９Ｋが色違い無し、ドラムカートリッジ８Ｙ，８Ｍ，８Ｃ，８Ｋのうち少なくとも１つが装着されていない（ドラムカートリッジの少なくとも１つが無い）と判定する（Ｓ１３７）。そして、制御部１００Ａは、印加回路への印加を停止し（Ｓ１３８）、ユーザにメッセージＡとメッセージＢを報知する（Ｓ１３９，報知処理）。
【０１２８】
一方、ステップＳ１０６において、制御部１００が、通信（または電気的接続）できたトナーカートリッジ９Ｙ，９Ｍ，９Ｃ，９Ｋの装着位置に対応する色が取得した色情報と少なくとも１つ合っていない場合（Ｓ１０６，Ｎｏ）、制御部１００Ａは、色情報と位置情報が一致していないトナーカートリッジ９Ｙ，９Ｍ，９Ｃ，９Ｋを特定し（Ｓ１０７）、印加回路に第１電圧Ｖ１を印加させる指示を送る（Ｓ１４０，送信処理）。
【０１２９】
ステップＳ１４０の後、制御部１００Ａは、第１時間Ｔ１待ち（Ｓ１４１）、印加回路が全ての帯電器８３Ｙ，８３Ｍ，８３Ｃ，８３Ｋと通電したかを判定する（Ｓ１４３，通電判定処理）。
【０１３０】
ステップＳ１４３において、制御部１００が、印加回路が全ての帯電器８３Ｙ，８３Ｍ，８３Ｃ，８３Ｋと通電したと判定した場合（Ｓ１４３，Ｙｅｓ）、制御部１００Ａは、トナーカートリッジ９Ｙ，９Ｍ，９Ｃ，９Ｋのうち少なくとも１つが装着されておらず（トナーカートリッジの少なくとも１つが無い）、少なくとも１つのトナーカートリッジ９Ｙ，９Ｍ，９Ｃ，９Ｋが色違いであり、全てのドラムカートリッジ８Ｙ，８Ｍ，８Ｃ，８Ｋが装着されている（ドラムカートリッジ全部有）と判定する（Ｓ１４４）。そして、制御部１００Ａは、印加回路へ電圧を印加させる指示を停止し（Ｓ１４５）、ユーザにメッセージＢとメッセージＣを報知する（Ｓ１４６，報知処理）。
【０１３１】
ステップＳ１４３において、制御部１００が、少なくとも１つの帯電器８３Ｙ，８３Ｍ，８３Ｃ，８３Ｋが印加回路と通電していないと判定した場合（Ｓ１４３，Ｎｏ）、制御部１００Ａは、トナーカートリッジ９Ｙ，９Ｍ，９Ｃ，９Ｋのうち少なくとも１つが装着されておらず（トナーカートリッジの少なくとも１つが無い）、少なくとも１つのトナーカートリッジ９Ｙ，９Ｍ，９Ｃ，９Ｋが色違いであり、ドラムカートリッジ８Ｙ，８Ｍ，８Ｃ，８Ｋのうち少なくとも１つが装着されていない（ドラムカートリッジの少なくとも１つが無い）と判定する（Ｓ１４７）。そして、制御部１００Ａは、印加回路へ電圧を印加させる指示を停止し（Ｓ１４８）、ユーザにメッセージＡとメッセージＢとメッセージＣを報知する（Ｓ１４９，報知処理）。
【０１３２】
以上のように構成された画像形成装置１Ａの作用および効果について説明する。
【０１３３】
画像形成装置１Ａによれば、接続判定処理と通電判定処理と位置判定処理との結果に応じて、ドラムカートリッジ８が本体筐体２に装着されているかを表す情報およびトナーカートリッジ９が本体筐体２に装着されているかを表す情報と、トナーカートリッジの色違いの情報とを報知することができる。このため、ドラムカートリッジ８とトナーカートリッジ９のどちらか一方のみを装着してしまった場合に、装着されていないカートリッジを装着する旨をユーザに報知できるとともに、トナーカートリッジが色違いであることを示す情報を報知することができる。
【０１３４】
以上、本発明の実施形態について説明したが、本発明は前記実施形態に限定されるものではない。具体的な構成については、本発明の趣旨を逸脱しない範囲で適宜変更が可能である。
【０１３５】
上述の実施形態においては、メモリの一例としてＩＣチップを例示したが、メモリは、情報を記憶する媒体であれば、ＩＣチップに限られない。
【０１３６】
上述の実施形態においては、制御部が印加回路が帯電器と通電したこと判定するために、グリッド電流によって判定していたが、この判定方法に限られない。例えば、印加回路とワイヤ電極と接点の電位の立ち上がる時間やグリッド電流の変化量により判定してもよい。
【０１３７】
上述の実施形態においては、第１電圧Ｖ１は、第２電圧Ｖ２より低い電圧であったが、第１電圧Ｖ１は、第２電圧Ｖ２と同じ電圧であってもよい。
【０１３８】
上述の実施形態においては、接触センサ式は、感光体ドラムとレジストレーションローラの間に設けられていたが、接触センサは他の位置に設けられていてもよい。
【０１３９】
上述の実施形態においては、レーザープリンタの画像形成装置を例示したが、画像形成装置は、コピー機や複合機であってもよい。
【０１４０】
前記した各実施形態および各変形例の各要素は、任意に組み合わせて実施することが可能である。
【符号の説明】
【０１４１】
１      画像形成装置
２      本体筐体
８      ドラムカートリッジ
９      トナーカートリッジ
２３    フロントカバー
５０    帯電器
６０    印加回路
８１    感光体ドラム
８３    帯電器
１００  制御部
１１０  ＩＣチップ
【図１】
2020052278.tif 000003
【図２】
2020052278.tif 000004
【図３】
2020052278.tif 000005
【図４】
2020052278.tif 000006
【図５】
2020052278.tif 000007
【図６】
2020052278.tif 000008
【図７】
2020052278.tif 000009
【図８】
2020052278.tif 000010
【図９】
2020052278.tif 000011
【図１０】
2020052278.tif 000012
【図１１】
2020052278.tif 000013